(57)【要約】【課題】帯域幅の使用を最適化しつつ複数の移動体端末がサービスの中断なしで無線ネットワーク中を移動することを可能にする。【解決手段】同一周波数でデータをブロードキャストする複数の基地局及び複数の移動体端末を具備する無線ネットワークにおけるデータ送信のための方法に関する。移動体端末のレベルでのセル間転送を克服するために、少なくとも第１の及び第２の移動体端末の夫々にての、第１及び第２の基地局の部分集合の割り付けであって、その割り付けが第１及び第２のパラメーターに従って時間とともに変化し、その２つの部分集合が少なくとも１つの基地局を共通に有し且つ夫々が少なくとも１つの特定の基地局を有することと、第１及び第２の変調により変調された第１及び第２の特定のデータの第１及び第２の部分集合の夫々の基地局の少なくとも第１及び第２の移動体端末の夫々への同期化された送信とを具備する方法に関する。【選択図】図４
2010157994.tif 000002
【特許請求の範囲】
【請求項１】
同一周波数でデータをブロードキャストする複数の基地局(１０１〜１０７）及び少なくとも２つの移動体端末(１００１〜１００４)を具備する無線ネットワークにおけるデータ送信のための方法であって、
前記複数の基地局からの少なくとも２つの基地局(１０１、１０２、１０７)の少なくとも第１の移動体端末(１００１)への、割り付けられた基地局の第１の部分集合を形成する第１の割り付けステップ(４１)であって、パラメーターのグループに属する第１の決定されたパラメーターに従ってちょうどよい時に変化する第１の割り付けステップ、
前記複数の基地局からの少なくとも２つの基地局(１０６、１０７)の少なくとも第２の移動体端末(１００２)への、割り付けられた基地局の第２の部分集合を形成する第２の割り付けステップ(４１)であって、該第２の部分集合に前記第１の部分集合の少なくとも１つの基地局(１０７)が属しており、該第２の部分集合に前記第１の部分集合の少なくとも１つの基地局(１０１、１０２)が属しておらず、及び、該第２の部分集合の少なくとも１つの基地局(１０６)が前記第１の部分集合に属しておらず、パラメーターのグループに属する第２の決定されたパラメーターに従ってちょうどよい時に変化する第２の割り付けステップ、
同一の第１の変調方式で変調された第１の特定のデータを、前記少なくとも第１の移動体端末(１００１)を対象として、前記第１の部分集合の各基地局(１０１、１０２、１０７)により同期化送信するステップ(４３)、及び、
同一の第２の変調方式で変調された第２の特定のデータを、前記少なくとも第２の移動体端末(１００２)を対象として、前記第２の部分集合の各基地局(１０６、１０７)により同期化送信するステップ(４３)
を含むことを特徴とする方法。
【請求項２】
前記第１の部分集合へ第１の物理チャンネルを割り当て(４２)及び前記第２の部分集合へ第２の物理チャンネルを割り当てる(４２)ステップであって、前記第１の物理チャンネルと前記第２の物理チャンネルとが別個であるステップを含むことを特徴とする請求項１に記載の方法。
【請求項３】
前記第１の物理チャンネルと前記第２の物理チャンネルとがオーバーラップしないことを特徴とする請求項２に記載の方法。
【請求項４】
前記第１及び第２のパラメーターが、
割り付けられた移動体端末の数、
割り付けられた基地局の最大数、
基地局と前記割り付けられた移動体端末の間のリンク品質、
前記基地局のビットレート効率、並びに、
少なくとも第１の移動体端末及び少なくとも第２の移動体端末の夫々のローカライゼーション
を含むグループに属することを特徴とする請求項１〜３のいずれか一項に記載の方法。
【請求項５】
前記第１のパラメーターに従って前記第１の部分集合の少なくとも１つの基地局の、および／または、前記第２のパラメーターに従って前記第２の部分集合の少なくとも１つの基地局の前記割り付け(４４)を抑制するステップを含むことを特徴とする請求項１〜４のいずれか一項に記載の方法。
【請求項６】
同一周波数でデータをブロードキャストする複数の基地局(１０１〜１０７)及び少なくとも２つの移動体端末(１００１〜１００４)を具備する無線ネットワークにおけるデータ送信のための方法であって、
前記複数の基地局からの少なくとも２つの基地局(１０１、１０２、１０７)の少なくとも第１の移動体端末(１００１)への、割り付けられた基地局の第１の部分集合を形成する第１の割り付けステップ(４１)であって、パラメーターのグループに属する第１の決定されたパラメーターに従ってちょうどよい時に変化する第１の割り付けステップ、
前記複数の基地局からの少なくとも２つの基地局(１０６、１０７)の少なくとも第２の移動体端末(１００２)への、割り付けられた基地局の第２の部分集合を形成する第２の割り付けステップ(４１)であって、該第２の部分集合に前記第１の部分集合の少なくとも１つの基地局(１０７)が属しており、該第２の部分集合に前記第１の部分集合の少なくとも１つの基地局(１０１、１０２)が属しておらず、及び、該第２の部分集合の少なくとも１つの基地局(１０６)が前記第１の部分集合に属しておらず、パラメーターのグループに属する第２の決定されたパラメーターに従ってちょうどよい時に変化する第２の割り付けステップ、
前記第１の部分集合の各基地局(１０１、１０２、１０７)により同期化送信された、同一の第１の変調方式で変調された前記第１の特定のデータを、前記少なくとも第１の移動体端末(１００１)により受信するステップ(５３)、及び、
前記第２の部分集合の各基地局(１０６、１０７)により同期化送信された、同一の第２の変調方式で変調された前記第２の特定のデータを、前記少なくとも第２の移動体端末(１００２)により受信するステップ(５３)
を含むことを特徴とする方法。
【請求項７】
前記第１の部分集合へ第１の物理チャンネルを割り当て(４２)及び前記第２の部分集合へ第２の物理チャンネルを割り当てる(４２)ステップであって、前記第１の物理チャンネルと前記第２の物理チャンネルとが別個であるステップを含むことを特徴とする請求項６に記載の方法。
【請求項８】
前記第１の物理チャンネルと前記第２の物理チャンネルとがオーバーラップしないことを特徴とする請求項７に記載の方法。
【請求項９】
前記第１及び第２のパラメーターが、
割り付けられた移動体端末の数、
割り付けられた基地局の最大数、
基地局と前記割り付けられた移動体端末の間のリンク品質、
前記基地局のビットレート効率、並びに、
少なくとも第１の移動体端末及び少なくとも第２の移動体端末の夫々のローカライゼーション
を含むグループに属することを特徴とする請求項６〜８のいずれか一項に記載の方法。
【請求項１０】
前記第１のパラメーターに従って前記第１の部分集合の少なくとも１つの基地局の、および／または、前記第２のパラメーターに従って前記第２の部分集合の少なくとも１つの基地局の前記割り付け(４４)を抑制するステップを含むことを特徴とする請求項６〜９のいずれか一項に記載の方法。
【発明の詳細な説明】
【技術分野】
【０００１】
本発明は電気通信の領域に関し、より詳細には、同期的方法で且つ同一周波数でデータをブロードキャストする複数の基地局を備えるシステムにおける無線のデータ送信及び受信に関する。
【背景技術】
【０００２】
先行技術によると、移動体ネットワーク、例えばＧＳＭ（Global System for Mobile communication）型、ＷｉＭＡＸ（IEEE802.16標準に準拠）、または３ＧＰＰ（3rd Generation Partnership Project：第３世代パートナーシッププロジェクト）のＬＴＥ（Long Term Evolution：長期進化版）は、夫々１つの基地局を含むセルを有する。移動体端末がそのようなネットワーク中で進行するときには、送信周波数は１つのセルから別のセルへ変化しつつ、移動体端末のレベルでのサービスの中断が無く、移動体端末が１つのセルから別のセルへ移ることが時に必要となる。そのような連続性の保証を可能にする機構は一般的には「ハンドオーバー」と呼ばれる。「ハンドオーバー」は、「ハードハンドオーバー」として及び「ソフトハンドオーバー」としてのどちらも使用可能であり得る。
【０００３】
「ハードハンドオーバー」の場合、移動体端末が第１のセルから第２のセルへ移る時に、第１のセルとの通信は第２のセルとの通信の開始前に中断される。「ハードハンドオーバー」が不都合なのは、「ハンドオーバー」が失敗すると、基地局及び移動体端末の間の通信が中断されることである。「ソフトハンドオーバー」の場合、第２のセルとの通信が既に開始されていても、第１のセルとの通信は所与の時間スロットの間は維持される。「ソフトハンドオーバー」が不都合なのは、数個の異なる周波数チャンネル上での通信を並列に管理することができねばならないという移動体端末ハードウェアの複雑さを必要とすることである。
【０００４】
ＳＦＮ（Single Frequency Network：単一周波数ネットワーク）と呼ばれる先行技術にて知られる技法によると、幾つかの基地局が同期的に単一のＯＦＤＭ（Orthogonal Frequency Division Multiple access：直交周波数分割多元接続）信号を送信する。このように移動体端末は、幾つかの送信機からの信号の組み合わせを受信し、そしてシンボル間干渉のキャンセルに対するＯＦＤＭに特有な特性を使用してこのようにして得られた組み合わせを復号化する。「IEEE Journal on selected areas in communications」第１９巻においてMagnus Erikssonによって発表された「Dynamic Single Frequency Networks」と題する２００１年１０月１０日のドキュメントが、ネットワークの基地局を、夫々同一周波数チャンネル上で同一情報を同期的に送信する基地局を具備する幾つかのＳＦＮグループに分割することに基づきＤＳＦＮ（Dynamic Single Frequency Network：動的単一周波数ネットワーク）の概念を紹介している。しかしながらこのドキュメントは、複数の移動体端末を具備するネットワークにおいて帯域幅を最適化する方法を説明していない。
【発明の概要】
【発明が解決しようとする課題】
【０００５】
本発明の目的は、先行技術の不都合を克服することである。
【０００６】
本発明の目的はより詳細には、帯域幅の使用を最適化しつつ、複数の移動体端末がサービスの中断なしで無線ネットワーク中を移動することを可能にすることである。
【課題を解決するための手段】
【０００７】
本発明は、複数の基地局及び少なくとも２つの移動体端末を具備し、その複数の基地局が同一周波数でデータをブロードキャストする、無線ネットワークにおけるデータ送信のための方法に関する。帯域幅の使用を最適化するために、方法は以下のステップを含む。すなわち、上記複数の基地局からの少なくとも２つの基地局の少なくとも第１の移動体端末への、割り付けられた基地局の第１の部分集合を形成する第１の割り付けステップであって、パラメーターのグループに属する第１の決定されたパラメーターに従って丁度よい時に変化する第１の割り付けステップ、上記複数の基地局からの少なくとも２つの基地局の少なくとも第２の移動体端末への、割り付けられた基地局の第２の部分集合を形成する第２の割り付けステップであって、該第２の部分集合に上記第１の部分集合の少なくとも１つの基地局が属しており、該第２の部分集合に上記第１の部分集合の少なくとも１つの基地局が属しておらず、及び、該第２の部分集合の少なくとも１つの基地局が上記第１の部分集合に属しておらず、パラメーターのグループに属する第２の決定されたパラメーターに従って丁度よい時に変化する第２の割り付けステップ、同一の第１の変調方式で変調された第１の特定のデータを、上記少なくとも第１の移動体端末を対象として、上記第１の部分集合の各基地局により同期化送信するステップ、及び、同一の第２の変調方式で変調された第２の特定のデータを、上記少なくとも第２の移動体端末を対象として、上記第２の部分集合の各基地局により同期化送信するステップである。
【０００８】
夫々の移動体端末に対して、少なくとも２つの基地局が割り付けられ、その結果基地局(複数)の仮想セル（夫々の移動体端末当たり１つ）を形成し、その割り付けは時間とともに変化し、その結果夫々の移動体端末がその動きに追随することを可能にする。1つまたは複数の基地局は、決定されたパラメーターに従って仮想セルに入りそして／またはそこから出るため、その結果仮想セルは移動体端末の動きに追随する。
【０００９】
特定の特性に従うと本方法は、第１の部分集合へ第１の物理チャンネルを割り付けることと第２の部分集合へ第２の物理チャンネルを割り付けることを含み、第１及び第２の物理チャンネルは区別される別個のものであってよい。
【００１０】
第１及び第２の物理チャンネルはオーバーラップしないことが有利である。
【００１１】
別の特性に従うと、第１及び第２のパラメーターは以下を含むグループに属するものであってよい。すなわち、割り付けられた移動体端末の数、割り付けられた基地局の最大数、基地局及び割り付けられた移動体端末の間のリンク品質、基地局（複数）のビットレート効率、並びに、少なくとも第１の移動体端末及び少なくとも第２の移動体端末の夫々のローカライゼーションを含むグループに属していてよい。
【００１２】
特定の特性に従うと本方法は、第１のパラメーターによる第１の部分集合の少なくとも１つの基地局の、および／または、第２のパラメーターによる第２の部分集合の少なくとも１つの基地局の割り付けを抑制するステップを含んでいてよい。
【００１３】
本発明はまた、同一の周波数でデータをブロードキャストする複数の基地局、及び少なくとも２つの移動体端末を備える無線ネットワークにおける、データ受信のための方法に関する。受信のための方法は以下のステップを含む。すなわち、上記複数の基地局からの少なくとも２つの基地局の少なくとも第１の移動体端末への、割り付けられた基地局の第１の部分集合を形成する第１の割り付けステップであって、パラメーターのグループに属する第１の決定されたパラメーターに従って丁度よい時に変化する第１の割り付けステップ、上記複数の基地局からの少なくとも２つの基地局の少なくとも第２の移動体端末への、割り付けられた基地局の第２の部分集合を形成する第２の割り付けステップであって、該第２の部分集合に上記第１の部分集合の少なくとも１つの基地局が属しており、該第２の部分集合に上記第１の部分集合の少なくとも１つの基地局が属しておらず、及び、該第２の部分集合の少なくとも１つの基地局が上記第１の部分集合に属しておらず、パラメーターのグループに属する第２の決定されたパラメーターに従って丁度よい時に変化する第２の割り付けステップ、上記第１の部分集合の各基地局により同期化送信された、同一の第１の変調方式で変調された上記第１の特定のデータを上記少なくとも第１の移動体端末により受信するステップ、及び、上記第２の部分集合の各基地局により同期化送信された、同一の第２の変調方式で変調された上記第２の特定のデータを、上記少なくとも第２の移動体端末により受信するステップを含む。
【００１４】
特定の特性に従うと本方法は、第１の部分集合へ第１の物理チャンネルを割り付けることと第２の部分集合へ第２の物理チャンネルを割り付けることを含み、第１及び第２の物理チャンネルは区別される別個のものであってよい。
【００１５】
第１及び第２の物理チャンネルはオーバーラップしないことが有利である。
【００１６】
別の特性に従うと、第１及び第２のパラメーターは以下を含むグループに属するものであってよい。すなわち、割り付けられた移動体端末の数、割り付けられた基地局の最大数、基地局及び割り付けられた移動体端末の間のリンク品質、基地局（複数）のビットレート効率、並びに、少なくとも第１の移動体端末及び少なくとも第２の移動体端末の夫々のローカライゼーションを含むグループに属していてよい。
【００１７】
特定の特性に従うと本方法は、第１のパラメーターによる第１の部分集合の少なくとも１つの基地局の、および／または、第２のパラメーターによる第２の部分集合の少なくとも１つの基地局の割り付けの抑制のステップを含んでいてよい。
【図面の簡単な説明】
【００１８】
【図１】本発明の特定の実施例による、複数の基地局及び複数の移動体端末を実施する無線ネットワークを示す図である。
【図２】本発明による、図１におけるシステムの基地局及び移動体端末を夫々図式的に例証する図である。
【図３】本発明による、図１におけるシステムの基地局及び移動体端末を夫々図式的に例証する図である。
【図４】図１におけるシステムの基地局によって実施される、本発明の特定の実施形態によるデータ送信のための方法を示す図である。
【図５】図１におけるシステムの移動体端末によって実施される、本発明の特定の実施形態によるデータ受信のための方法を示す図である。
【発明を実施するための形態】
【００１９】
付加された図面を参照する以下の説明を読むことにより、本発明はより良く理解されるであろうし、且つ他の特定の特徴及び利点が明確になるであろう。
【００２０】
図１は、本発明の特定の実施形態に従って、幾つかの基地局１０１、１０２、１０３、１０４、１０５、１０６、及び１０７、並びに幾つかの移動体端末１００１、１００２、１００３、及び１００４を実施する無線通信システム１を示す。基地局１０１〜１０７は単一の周波数で送信する、すなわち基地局が単一の周波数（すなわち、ＯＦＤＭシステムに関して考慮すると、周波数における無視し得る差異であって、ＤＶＢ−Ｔ（Digital Video Broadcasting-Terrestrial：地上デジタルテレビ放送）型システムに対しては通常１Ｈｚ未満の）にて動作する。ネットワークの基地局の組みが単一の周波数で送信することにより、移動体端末のレベルにおける何れの「ハンドオーバー」機構をも省略することが可能になる。基地局１０１〜１０７及び移動体端末１００１〜１００４は、夫々単一の送信アンテナを有する。基地局１０１、１０２、及び１０７は、移動体端末１００１に割り付けられ、そして割り付けられた基地局の第１の部分集合を形成する。基地局１０６、及び１０７は、移動体端末１００２に割り付けられ、そして割り付けられた基地局の第２の部分集合を形成する。その結果基地局１０７は、基地局の第１及び第２の部分集合に属する。第１の部分集合の２つの基地局１０１及び１０２は、第２の部分集合に属さない。第２の部分集合の基地局１０６は、第１の部分集合に属さない。基地局１０４及び１０５は、移動体端末１００３に割り付けられ、そして割り付けられた基地局の第３の部分集合を形成する。基地局１０３、１０４、及び１０５は、移動体端末１００４に割り付けられ、移動体端末１００１〜１００４は、基地局１０１〜１０７によって送信された信号を受信し、且つ復号化することができ、そして基地局１０１〜１０７は、移動体端末１００１〜１００４によって送信された信号を受信し、且つ復号化することができる。点線の円によって定義されたゾーン１１、１２、１３、１４、１５、１６、及び１７は夫々、基地局１０１〜１０７の夫々の干渉ゾーンを表す。これらのゾーン１１〜１７の夫々の内側では、干渉は所与の閾値より少なく、そしてこれらのゾーン１１〜１７の外側では、干渉は所与の閾値より大である。
【００２１】
システム１の移動体端末１００１、１００２、１００３、及び１００４は、例えばブロードキャストサービス（例えば音声またはオーディオのデータ復元（restitution）、および／またはビデオデータ表示、或いはより一般的なマルチメディアデータの復元、格納、または処理）を受信しそして処理するように適合された、電話、または携帯情報端末という、携帯型機器であることが有利である。
【００２２】
システム１の基地局１０１〜１０７は、固定型機器であることが有利である。基地局は、広い適用範囲領域にわたってデータをブロードキャストするように適合させられた大電力の送信機であり、或いはより制限された適用範囲領域に対してブロードキャストするように適合させられた平均的または小電力の基地局である。一変形例によると、基地局１０１〜１０７の内の１つが、「ピコセル（picocell）」、すなわち数１０ｍの領域を有する、ビル、スーパーマーケット、駅の内部などの、狭い領域をカバーするシステムを形成する（幾つかの実施形態によると、ピコセルにおいては領域は３００ｍより少ないことが有利である）。別の変形例によると、基地局の内の少なくとも１つが、家またはビルの幾つかの部屋、ビルの１階、飛行機などの、すなわち数ｍの領域を有する、ピコセルより小さいサイズに制限された領域である「フェムトセル（femtocell）」をカバーするように設計されたシステムを形成する（幾つかの実施形態によると、領域は１００ｍより少ないことが有利である）。
【００２３】
一変形例によると、基地局１０１〜１０７は、ＳＩＳＯ（Single Input Single Output）型であって、且つ単一のアンテナのみを有する。基地局は、所与の移動体端末の宛先に向けて同一周波数で同一内容を送信する同期的ネットワークを形成する。すなわち、基地局が単一の周波数で（すなわち、ＯＦＤＭシステムに関して考慮すると、周波数における無視し得る差異にて（ＤＶＢ−Ｔ型システムについては通常１Ｈｚ未満にて）、同期的な形（すなわち無視し得る時間的偏差（例えば１マイクロ秒未満）にて、且つ基地局によって送信された信号が別の基地局によって送信された別の信号に関して時間的にスライドすることなく）動作し、上記送信周波数は、例えば外部要素（例えばＧＰＳ（全地球測位システム）衛星或いは基準時間または周波数の地上ブロードキャスト局）によって提供される参照周波数の受信により、異なる基地局(複数)に同期する。
【００２４】
別の変形例によると、基地局１０１〜１０７はＭＩＭＯ型であって、そして夫々がＭＩＭＯ符号化器及びＭＩＭＯ信号を送信する数個のアンテナを有する。この変形例によると、基地局はまた、所与の移動体端末を対象として同一周波数で同一内容を送信する同期化ネットワークを形成する。
【００２５】
システム１の幾つかの基地局がＳＩＳＯ型であり、そして幾つかがＭＩＭＯ型であることが有利である。この変形例によると基地局はまた、所与の移動体端末を対象として同一周波数で同一内容を送信する同期化ネットワークを形成する。
【００２６】
別の実施形態によると、システム１の第１、第２、第３、および／または第４の基地局部分集合の基地局(複数)は、その基地局(複数)が複数のアンテナを差別無く所有する協調的なＭＩＭＯシステムを形成する。そのような協調的なＭＩＭＯシステムは、幾つかの基地局にわたって分布したアンテナを使用する。すなわち送信される信号は、単一の部分集合の幾つかの基地局に属し得る幾つかのアンテナの間に空間的に分布する。すべての空間的なストリームを持つ、全体の信号は、空中にて合成され、考慮された部分集合の基地局が割り付けられた移動体端末により受信される。そのような協調的なＭＩＭＯシステムの基地局はまた、考慮された移動体端末を対象として同一周波数で同一内容を送信する同期化ネットワークを形成する。
【００２７】
別の変形例によると、システム１の幾つかの基地局が協調的なＭＩＭＯ型であるかまたはないかであり、そしてその他はＳＩＳＯ型である。
【００２８】
移動体端末１００１〜１００４の内の少なくとも１つがＭＩＭＯ型であり、且つ幾つかのアンテナを有することが有利である。
【００２９】
一変形例によると、ゾーン１１〜１７は夫々、基地局１０１〜１０７の夫々の適用範囲ゾーンを定義する。
【００３０】
図２は、例えば図１の基地局１０１〜１０７に対応する基地局２の、ハードウェア実施形態を図式的に示す。
【００３１】
基地局２は、アドレス及びデータのバス２４によって互いに接続される以下の要素を具備し、またクロック信号を運ぶ。すなわち、
−マイクロプロセッサー２１（またはＣＰＵ）、
−ＲＯＭ（読み出し専用メモリー）型の非揮発性メモリー２２、
−ランダムアクセスメモリーすなわちＲＡＭ２３、
−無線インターフェイス２６；
−特に符号化器および／またはＯＦＤＭ変調器の機能を実行する、データ送信（例えばサービスのブロードキャスト、またはマルチポイントツーポイントまたはポイントツーポイント送信）のために適合させられたインターフェイス２７、
−同期化信号を受信するために及びインターフェイス２７を同期化するために適当なインターフェイス２８、および／または
−ＭＭＩ（マンマシンインターフェイス）インターフェイス２９またはユーザに対して情報を表示するためのおよび／またはデータまたはパラメーター（例えば副搬送波の設定及び送信するべきデータ）を入力するために適当な特定のアプリケーションへのインターフェイス； 
である。
【００３２】
メモリー２２及び２３の説明において使用される用語「レジスター」は、言及したメモリー夫々において、低容量のメモリーゾーン（ある２進データの）並びに大容量のメモリーゾーン（全体のプログラムが格納され、またはすべてのないしは一部のサービスを表すデータが受信され及びブロードキャストされることを可能にする）を指定することに注意されたい。
【００３３】
メモリーのＲＯＭ２２は詳細には以下を具備する。すなわち、
−プログラム（「ｐｒｏｇ」）２２０、及び
−物理層パラメーター２２１、
である。
【００３４】
本発明に特有な、及びこの後で説明される方法のステップを実施するアルゴリズムは、これらのステップを実施する基地局２に関連付けられたメモリーＲＯＭ２２中に格納される。電源が投入されると、マイクロプロセッサー２１は、これらのアルゴリズムの命令をロードし、そしてランさせる。
【００３５】
ＲＡＭ（ランダムアクセスメモリー）２３は特に以下を具備する。すなわち、
−レジスター２３０中に、基地局２のオンへの切り替えに関与するマイクロプロセッサー２１の動作プログラム、
−送信パラメーター２３１（例えば変調、符号化、ＭＩＭＯ、フレーム再実行のためのパラメーター）、
−受信パラメーター２３２（例えば変調、符号化、ＭＩＭＯ、フレーム再実行のためのパラメーター）、
−入力データ２３３、
−データ送信のための符号化データ２３４、
−基地局の複数の移動体端末への割り付けパラメーター２３５（例えば割り付けられた移動体端末の数、割り付けられた基地局の最大数、基地局及び割り付けられた移動体端末の間のリンクの品質、基地局のビットレート効率、移動体端末のローカライゼーション）、及び
−物理チャンネルのパラメーター２３６（例えば決定された時間スロット、決定された符号の割り付け、および／または基地局２によってデータ送信にて決定された副搬送波の間隔）、
である。
【００３６】
一変形例によると、基地局の移動体端末への割り付けを表すデータは、例えば割り付けパラメーターを決定しそしてその決定された割り付けパラメーターに従って移動体端末への割り付けを決めるために走査を実行する隣接する基地局に、例えば基地局またはネットワークサーバーによって、定期的におよび／または要求に応じて送信される。一変形例によると、基地局２は、移動体端末の地理的な位置に対応するレジスターをＲＡＭ中に具備する。
【００３７】
無線インターフェイス２６は、システム１の移動体端末１００１、１００２、及び１００３によってブロードキャストされた信号の受信のために必要なら適合される。
【００３８】
図３は、システム１に属する、例えば移動体端末１００１、１００２、１００３、及び１００４に対応する、そして基地局２によって送信された信号を受信し、そして復号化するように適合された、移動体端末３のハードウェア実施形態を図式的に例証する。
【００３９】
移動体端末３は、アドレス及びデータのバス３４によって互いに接続される以下の要素を具備し、またクロック信号をも運ぶ。すなわち、
−マイクロプロセッサー３１（またはＣＰＵ）、
−ＲＯＭ（読み出し専用メモリー）型の非揮発性メモリー３２、
−ランダムアクセスメモリーすなわちＲＡＭ３３、
−無線インターフェイス３６、
−データ送信のために適合されたインターフェイス３７、及び
−ユーザに対して情報を表示し、そして／またはデータまたはパラメーター（例えば副搬送波の設定及び送信するべきデータ）を入力するために適合された、ＭＭＩインターフェイス３９、
である。
【００４０】
メモリー３２及び３３の説明において使用される用語「レジスター」は、言及したメモリー夫々において、低容量のメモリーゾーン、並びに大容量（全体のプログラム、または受信され且つ復号化されたデータを表すデータのすべて或いは一部を格納することを可能にする）のメモリーゾーンを指定することに注意されたい。
【００４１】
メモリーＲＯＭ３２は詳細には以下を具備する。すなわち、
−プログラム（「ｐｒｏｇ」）３２０、及び
−物理層パラメーター３２１、
である。
【００４２】
本発明に特有な、及び以下に説明される方法のステップを実施するアルゴリズムは、これらのステップを実施する移動体端末３に関連付けられたメモリーＲＯＭ３２中に格納される。電源が投入されると、マイクロプロセッサー３１は、これらのアルゴリズムの命令をロードし、そしてランさせる。
【００４３】
ＲＡＭ（ランダムアクセスメモリー）３３は特に以下を具備する。すなわち、
−レジスター３３０中に、移動体端末３のオンへの切り替えに関与するマイクロプロセッサー３１の動作プログラム、
−受信パラメーター３３１（例えば変調、符号化、ＭＩＭＯ、フレーム再実行のためのパラメーター）、
−送信パラメーター３３２（例えば変調、符号化、ＭＩＭＯ、フレーム再実行のためのパラメーター）、
−受信機３６によって受信され、復号化されたデータに対応する入力データ３３３、及び
−インターフェイスにてアプリケーション３９に対して送信されるように形成された復号化されたデータ３３４、
である。
【００４４】
図２及び３に関して説明されたもの以外の基地局２のおよび／または移動体端末３の他の構造は、本発明と両立する。変形例によると特に、本発明と両立する基地局および／または移動体端末は、たとえば専用部品の（例えば、ＡＳＩＣ（特定用途向け集積回路）またはＦＰＧＡ（フィールドプログラマブルゲートアレイ）またはＶＬＳＩ（超大規模集積回路）の）、または装置に埋め込まれた幾つかの電子部品の形体の純粋にハードウェア的な具現化により、或いはハードウェア要素及びソフトウェア要素の混合の形体にてさえ、実施される。
【００４５】
無線インターフェイス３６は、システム１の基地局１０１〜１０７によってブロードキャストされる信号の受信のために適合させられる。
【００４６】
図４は、本発明の特に有利な非限定的実施形態による、夫々少なくとも２つの基地局を具備する２つの基地局の部分集合において実施される、本発明の特定の実施形態によるデータ送信のための方法を示す。
【００４７】
初期化ステップ４０の間に、夫々の基地局の様々なパラメーターが更新される。特に、送信されるまたは受信される信号に及び対応する副搬送波に対応するパラメーターが何れかの方法にて（例えば主局（master station）として知られる基地局の内の１つによりまたはシステム１で現れないサーバーにより、またはオペレーターのコマンドによって、送信された初期化メッセージの受信に引き続いて、）初期化される。
【００４８】
次にステップ４１の間に、少なくとも２つの基地局、例えば３つの基地局１０１、１０２、及び１０７が、少なくとも第１の移動体端末１００１に第１の割り付けを実行する。このようにして割り付けられた３つの基地局１０１、１０２、及び１０７が、第１の部分集合Ｓ１を形成する。この第１の割り付けに並行して、少なくとも２つの基地局、例えば２つの基地局１０６及び１０７が、少なくとも第２の移動体端末１００２に第２の割り付けを実行する。このようにして割り付けられた２つの基地局１０６及び１０７が、第２の部分集合Ｓ２を形成する。少なくとも１つの基地局、例えば基地局１０１及び１０２は、第１の部分集合Ｓ１に属するが、第２の部分集合Ｓ２には属さない。少なくとも１つの基地局、例えば基地局１０６は、第２の部分集合Ｓ２に属するが、第２の部分集合Ｓ１には属さない。基地局の第１の割り付けは、特に少なくとも第１の移動体端末１００１の動きに従って、第１の決定されたパラメーターによって、時間経過とともに変化する。基地局の第２の割り付けもまた、特に少なくとも第２の移動体端末１００２の動きに従って、第２の決定されたパラメーターによって、時間の経過とともに変化する。
【００４９】
そのような実施方法の１つの利点は、移動体端末がその移動の間に「ハンドオーバー」処理を実行しないことである。事実、移動体端末に割り付けられた基地局の部分集合は、移動体端末の移動に従って変化する。すなわち、移動体端末に割り付けられた基地局の仮想セルとして認知されたセルが、このようにして形成される。そのような仮想セルを形成する基地局(複数)は、決定されているパラメーターの関数として移動体端末の移動に従ってそして同一周波数で送信しつつ変化し、この後者は、それが移動体端末の移動に追随する仮想セルであるので１つのセルから別のセルに移ることはない。その結果移動体端末は、「ハンドオーバー」処理を実行しないで、１つのセルから別のセルへ移る。
【００５０】
第１及び第２のパラメーターはともにパラメーターのグループに属する。パラメーターのこのグループは、以下のパラメーターを具備する。 
−割り付けられるべき基地局に割り付けられた移動体端末の数：すなわち、新しい移動体端末に割り付けられるよう待っている基地局に割り付けられる移動体端末の数が閾値より少ない場合には、新しい移動体端末の割り付けがなされ、そして新しい移動体端末に割り付けられるよう待っている基地局に割り付けられる移動体端末の数が上記閾値より大きい場合には、新しい移動体端末の割り付けはなされない。閾値としての非限定的な例は以下の通りである。すなわち、５、１０、２０、５０、１００、２００、３００、などの通信状態にある移動体端末（すなわち、それらを対象とするデータを受信しそして処理する端末）、である。一変形例によると閾値は、通信状態にある移動体端末に加えて、例えば１００、５００、１０００、などのオフに切り替わっている移動体端末（すなわち、基地局が割り付けられているがアクティブな通信状態にはない端末、すなわち明確にそれらを対象とするデータの受信を待っている端末）を考慮に入れる。一変形例によると閾値は、夫々の移動体端末に必要なリソース（例えば帯域幅要件）を考慮に入れる。このパラメーターについて考慮されることとしては特に、ネットワークを飽和状態にしないこと、及び夫々の割り付けられた移動体端末に対して十分な帯域幅の量を保証することの利点を提示する。
【００５１】
−移動体端末に割り付けられる基地局の最大数：すなわち、所与の移動体端末に割り付け可能な基地局の最大数は固定的（例えば、３、４、５など）であり、そして考慮中の移動体端末に割り付けられるべく待っている新しい基地局は、考慮中の上記移動体端末に割り付けられた基地局の数が最大数に到達していない場合にのみ、割り付けることが可能である。割り付けられた基地局の数が最大数に到達したなら、考慮中の移動体端末に割り付けられるべく待っている新しい基地局は、割り付け済みの基地局の割り付けが抑制される場合にのみ、割り付けることが可能である。一変形例によると、所与の移動体端末に割り付けられる基地局の最大数は以下の間で具備される。すなわち、
・その基地局により形成されるネットワークの帯域幅に関する効率における損失：すなわち、効率における損失を最小にするために、基地局の数を制限することが必要になる、
・その移動体端末を対象として単一周波数で同期的に同一データを送信する基地局を掛け合わせる際に獲得されるダイバーシティにおける利得による移動体端末の受信における利得、
である。
【００５２】
このパラメーターについて考慮されることとしては特に、１つの移動体端末にあまりに大きな数の基地局が割り付けられることを回避し、基地局の利用を最適化することの利点を提示し、そして例えばそのネットワークにおいて実施されるべき基地局の数を制限することを可能にすることである。
【００５３】
−割り付けられる基地局及び考慮中の移動体端末の間のリンク品質：すなわち、リンク品質は、例えば基地局によって受信されそして移動体端末によって送信された信号電力の測定から推定され、測定は先行技術において知られている任意の技法により実行される。移動体端末によって送信される信号の受信の最良のレベルを持つ基地局は、考慮中の移動体端末に選択的に割り付けられることが有利であり、ここでその移動体端末に割り付けられるべき追加的基地局(複数）は、信号受信のレベル低下の次数により決定される。一変形例によると、閾値より低い受信レベル（例えば最良の基地局の受信のレベルに関して１０、１５、または２０ｄＢ少ない）を有する基地局は割り付けられない。別の変形例によると、移動体端末により送信された信号を受信する基地局(複数）によって実行される電力測定の頻度は、ＳＮＲ（信号対雑音比）が減少（または増加）すると増加（または減少）する。このパラメーターについて考慮されることとしては特に、送信された信号が処理のために移動体端末によって効果的に受信されることになる基地局のみをその移動体端末に割り付けることの利点を提示する。
【００５４】
−割り付けられるべき基地局のビットレートにおける効率：すなわち、割り付けられるべき基地局によって提示されたビットレートが閾値より大きい場合には割り付けがなされ、そうでない場合には割り付けが失敗する。一変形例によると、基地局(複数)によって形成されたネットワークの総ビットレートを考慮に入れ、基地局を割り付ける。すなわち、ビットレートが閾値より大きい基地局は、別の移動体端末と通信を確立するためには、それのみが利用可能であるため、例えば割り付けがされない。このパラメーターについて考慮されることとしては特に、移動体端末に対して最小のビットレートを保証することの利点を提示する。
【００５５】
−考慮中移動体端末のローカライゼーション：すなわち、考慮中の移動体端末に関する距離が閾値より少ない基地局または基地局(複数)は、上記移動体端末に割り付けられる。ピコセルシステムの場合には、閾値は例えば非限定的に、５０、１００、または２００ｍの値を取る。フェムトセルシステムの場合には、閾値は例えば非限定的に、５、１０、または５０ｍの値を取る。それは移動体端末の自身の絶対的地理的位置または相対的地理的位置のローカライゼーション（基地局に関して）によって解釈される。位置は、例えばＧＰＳ、または移動体端末によって送信されそして基地局によって受信される信号からの夫々の基地局及び移動体端末の間の距離の、先行技術において知られる任意の技法による測定により、決定される。このパラメーターについて考慮されることとしては特に、その実施方法における単純さの利点を提示する。
【００５６】
割り付けに使用されるパラメーターが、割り付けられるべき基地局に対して割り付け済みの移動体端末の数に対応しているときには、ステップ４１は以下のステップを具備する。すなわち、
−基地局が割り付けられた移動体端末の数を決定するための試験、
−試験結果の閾値との比較、
−試験結果が閾値未満であるなら、その基地局を新しい移動体端末に割り付けること、
である。
【００５７】
割り付けに使用されるパラメーターが、割り付けられるべき移動体端末に割り付け済みの基地局の最大数に対応しているときには、ステップ４１は以下のステップを具備する。すなわち、
−移動体端末に割り付け済みの基地局の数を決定するための第１の試験、
−試験結果の、移動体端末に割り付け得ることが認定済みの基地局の最大数との比較、
−試験結果が認定済みの最大数未満なら、その移動体端末に新しい基地局を割り付け、
−試験結果が、最大の認定済み数に等しいかまたはそれより大なら：すなわち、
−割り付け済みの基地局の割り付けが抑制されるか否かを判定するための第２の試験、
−第２の試験の結果が肯定的であるなら、すなわち割り付け済み基地局の割り付けが抑制されるなら、その移動体端末に新しい基地局を割り付け、第２の試験の結果が否定的であるなら、割り付けは拒否される。
【００５８】
割り付けに使用されるパラメーターが、割り付けられるべき基地局及び考慮中の移動体端末のリンク品質に対応しているときには、ステップ４１は以下のステップを具備する。すなわち、
−移動体端末及び割り付けられるべき夫々の基地局の間のリンク品質を推定、
−リンク品質が最も高い基地局を割り付け、
−それに支障がある場合には、リンク品質が２番目に高い基地局を割り付け、
−リンク品質レベルの降順による前のステップの反復、である。
一変形例によると、ステップ４１は以下のステップを具備する。すなわち、
−移動体端末及び割り付けられるべき夫々の基地局の間のリンク品質を推定、
−リンク品質が閾値より高い基地局(複数）を割り付け、
である。
【００５９】
割り付けに使用されるパラメーターが、割り付けられるべき基地局のビットレート効率に対応しているときには、ステップ４１は以下のステップを具備する。すなわち、
−割り付けられるべき基地局により提示されたビットレートを判定、
−提示されたビットレートが閾値より大きい基地局を割り付け、
である。
【００６０】
割り付けに使用されるパラメーターが、考慮中の移動体端末のローカライゼーションに対応しているときには、ステップ４１は以下のステップを具備する。すなわち、
−移動体端末及び基地局の間の距離を判定、
−移動体端末から自身が離れている距離が閾値より少ない基地局を割り付け、
である。
【００６１】
一変形例によるとパラメーターのグループは、上に一覧化されたパラメーターの内のただ１つのみ、または２つ、または３つ、または４つ、または５つを具備する。別の変形例によると、第１及び第２のパラメーターは上で定義されたパラメーターのグループの少なくとも２つのパラメーターの組み合わせ、例えば割り付け得る基地局の最大数にリンク品質を関連付けた組み合わせ、である。
【００６２】
第１及び第２のパラメーターが同一であることが有利である。一変形例によると、第１及び第２のパラメーターは異なっている。
【００６３】
一実施形態によると、第１及び第２のパラメーターは、時間的に固定的であり、そして単に不変のパラメーターグループのパラメーターに対応する。別の実施形態によると、第１及び第２のパラメーターは、パラメーターのグループのパラメーターの内の１つに、次に別のものに、そしてさらに別のものに対応して丁度よい時に変化する。
【００６４】
少なくとも第１及び少なくとも第２の移動体端末夫々への基地局の第１のおよび／または第２の割り付け(複数）は、上記基地局の主導に基づき実現されることが有利である。一変形例によると、第１のおよび／または第２の割り付け(複数）は、図１に示されていないネットワークのサーバーの主導に基づき実現される。
【００６５】
別の実施形態によると、基地局によって受信され、且つ移動体端末によって送信される信号のレベルが十分である限り、２つの基地局のみがその移動体端末に割り付けられる。受信のレベルが減少すると、割り付け済みの基地局の内の少なくとも１つは、隣接している基地局を対象として、それらもまた、その移動体端末との通信に寄与するよう要求して、すなわちそれらをその移動体端末に割り付け、この移動体端末を対象とするデータを送信することを要求して、要求を送信する。そのようにして要求を送信している移動体端末を検出している基地局が、既に割り付け済みの２つの基地局に加わる。複数の基地局がその移動体端末との割り付けに対する候補であるなら、移動体端末によって受信された信号（その端末に割り付けられている基地局(複数)によって送信されたすべての信号の組み合わせからの結果としてその端末によって受信された信号）における寄与の値が最も大きい（すなわちその値が最大の）ものが、例えばシステムサーバーまたはマスター基地局によって保持されることが有利である。寄与の値とは例えば、受信された信号の電力（例えば雑音対信号比のレベル、ＢＥＲ（ビット誤り率）、またはＦＥＲ（フレーム誤り率）である。受信された信号における寄与は、先行技術にて知られる任意の技法により、例えば未発表で且つ２００８年１０月１７日に出願番号ＦＲ０８５７０５７にて出願された仏国特許出願において説明されるように、データの送信のために使用されるものとは別の周波数上での夫々の基地局による特定の信号の送信により、または信号を送信している基地局を移動体端末が識別することを可能にする夫々の基地局によって送信される信号への特有な決定された重み係数の適用によって、決定される。したがって、移動体端末がそれ自体を基地局から遠ざけるときには、それと通信する基地局によって形成される仮想セルは、徐々に隣接している基地局に延伸する。
【００６６】
次にステップ４２の間に、第１の物理チャンネルが第１の部分集合の基地局に割り付けられ、すなわち、一方の側での第１の部分集合の基地局(複数)及び他方の側での所与の第１の移動体端末の間の通信が第１の物理チャンネル上にて確立され、そして第１の物理チャンネルとは異なった第２の物理チャンネルが、第２の部分集合の基地局(複数)に割り付けられる。すなわち、一方の側での第２の部分集合の基地局及び他方の側での所与の第２の移動体端末の間の通信が第２の物理チャンネル上にて確立される。物理チャンネルは、副搬送波の一覧、時間スロット、干渉のレベル、及びＣＤＭＡ（符号分割多元接続）の場合には同一拡散符号を具備するパラメーターのグループにより特徴付けられる。
【００６７】
第１の部分集合の基地局及び第２の部分集合の基地局は、ＴＤＭＡ（時間分割多元接続）の適用を通しての移動体端末を対象とする「バースト」の送信に対しては、同一の時間スロットを使用しないことが有利である。基地局の集合が単一の周波数で送信する、したがって移動体端末当たり１つの周波数を結び付けることは可能ではなく、そして１つの移動体端末のみに１つの時間スロットを結び付けることは、利用可能な帯域幅をネットワークにおいて存在する移動体端末の数により分割する結果となる。利用可能な帯域幅を最適化するために、干渉を回避しつつ、同一の時間スロットを幾つかの移動体端末に対して使用することが必要になる。夫々の基地局の干渉ゾーンに関する以下の表を構成することが可能であり、２つの基地局の間の干渉がＸにより表される。すなわち、
【００６８】
【表１】
2010157994.tif 000003
【００６９】
表１に関して、例えばＢＳ１がＢＳ２及びＢＳ７と干渉することを意味する。１つの時間スロットのレベルにては：
−ＢＳ１が、ＢＳ２および／またはＢＳ７と同一データを送信するか、
−または、ＢＳ２および／またはＢＳ７がデータ送信中は、ＢＳ１は何も送信しないか、の何れか
である。
【００７０】
実施形態に従って、４つの移動体端末に割り付けられた基地局の４つの部分集合を有するシステム１を示す図１を参照すると、データフレームの構成、すなわち、夫々の移動体端末に割り付けられた基地局の部分集合への時間スロットの配分、は以下の方法にて実行される。すなわち、
−移動体端末ＭＴ１に割り付けられた基地局ＢＳ１、ＢＳ２、及びＢＳ７から構成される部分集合Ｓ１に第１の時間スロットＴＳ１を配分：すなわち、これらの３つの基地局ＢＳ１、ＢＳ２、及びＢＳ７は移動体端末ＭＴ１を対象とするデータを送信し、この第１の時間スロットの間は表１に従ってＢＳ３及びＢＳ６に対する何れの送信をも排除する。
【００７１】
−移動体端末ＭＴ３に割り付けられた基地局ＢＳ４及びＢＳ５から構成される部分集合Ｓ３に第１の時間スロットＴＳ１を配分、基地局ＢＳ４及びＢＳ５は、Ｓ１の基地局、すなわちＢＳ１、ＢＳ２、及びＢＳ７のいずれとも干渉しない。
【００７２】
−移動体端末ＭＴ４に割り付けられた基地局ＢＳ３、ＢＳ４、及びＢＳ５から構成される部分集合Ｓ４に第２の時間スロットＴＳ２を配分：すなわち、これら３つの基地局ＢＳ３、ＢＳ４、及びＢＳ５は、移動体端末ＭＴ４を対象とするデータを送信し、この第２の時間スロットの間は表１に従ってＢＳ２及びＢＳ６に対する何れの送信をも排除する。
【００７３】
−基地局ＢＳ１及びＢＳ７のみに割り付けられた移動体端末は無く、基地局の他のいかなる部分集合にも第２の時間スロットＴＳ２を割り付けることができない。
【００７４】
−移動体端末ＭＴ２に割り付けられた基地局ＢＳ１、及びＢＳ７から構成される部分集合Ｓ２に第３の時間スロットＴＳ３を配分：すなわち、これら２つの基地局ＢＳ６、及びＢＳ７は移動体端末ＭＴ２を対象とするデータを送信し、この第３の時間スロットの間は表１に従ってＢＳ１、ＢＳ２、ＢＳ３、及びＢＳ５に対する何れの送信をも排除する。
【００７５】
−基地局ＢＳ４のみに割り付けられた移動体端末は無く、基地局の他のいかなる部分集合にも第３の時間スロットＴＳ３を割り付けることができない。
【００７６】
−残余の時間スロットに対して同一の論理が再現される。
【００７７】
引き続く基地局ＢＳｉ／時間スロットＴＳｉの組に対するフレーム開始の説明：すなわち、
【００７８】
【表２】
2010157994.tif 000004
【００７９】
別の実施方法によると、表２において説明されたフレームの構成は、システム容量の公平な分割を可能にするスケジューリングの方法、例えば、所与の移動体端末を対象とする夫々の基地局によって送信される夫々のデータストリームへのＦＩＦＯ（先入れ先出し）待ち行列の配分により結合され、または取り替えられる。そのようなスケジューリングの方法には、例えばＷＦＱ（重み付け均等化待ち行列）法またはＷＲＱ（重み付きラウンドロビン）がある。
【００８０】
一変形例によると、第１の部分集合の基地局及び第２の部分集合の基地局は、ＯＦＤＭＡ（直交周波数分割多元接続）の適用を通しての、移動体端末の夫々を対象とする「バースト」の送信に対して、副搬送波の同一部分集合を使用しない。フレームの構成、すなわち移動体端末の夫々に割り付けられた基地局の部分集合への副搬送波の配分は、ＴＤＭＡでの副搬送波または副搬送波の部分集合毎での時間スロット配分置き換えの場合と同一の論理に従って実行される。
【００８１】
別の変形例によると、第１の部分集合の基地局及び第２の部分集合の基地局が、ＣＤＭＡ（符号分割多元接続）符号による多重化を適用することによって、移動体端末の夫々を対象とする基地局によって送信される信号に対して異なった符号を適用する。同一部分集合のすべての基地局は、同一の符号を適用する。フレームの構成、すなわち移動体端末の夫々に割り付けられる基地局の部分集合への符号の配分は、ＴＤＭＡでの符号毎の時間スロット配分置き換えの場合と同一の論理に従って実行される。
【００８２】
システム１の基地局の部分集合の夫々に配分される物理チャンネルは、技法ＴＤＭＡ、ＯＦＤＭＡ、および／またはＣＤＭＡの複数の組み合わせにより差別化することが有利である。一変形例によると、干渉に関して考慮されることが、物理チャンネルを差別化するために使用される。システム１の基地局の部分集合の夫々に配分される物理チャンネルは、例えば基地局の部分集合への時間スロットの配分の説明において、そして表２において説明されたようなそれらがオーバーラップしない方法にて定義されることが有利である。
【００８３】
ステップ４３の間に、第１の部分集合Ｓ１の夫々の基地局１０１、１０２、及び１０７は、第１の特定のデータを第１の移動体端末１００１に、同期的に（すなわち、無視し得る時間的差異（例えば、１マイクロ秒未満）により、且つ基地局によって送信された信号が別の基地局によって送信された別の信号に関して時間的にスライドすることなく）、同一周波数で（すなわち、考慮中のシステムに関して無視し得る周波数差異（ＤＶＢ−Ｔ型システムについては通常１Ｈｚ未満）にて）送信され、この第１のデータは同一の第１の変調方式で変調される。同様の方法にて、第２の部分集合Ｓ２の夫々の基地局１０６、１０７が、第２の特定のデータを第２の移動体端末１００２に、同期的に、同一周波数で送信され、この第２のデータは同一の第２の変調方式で変調される。部分集合Ｓ１の基地局の夫々及び部分集合Ｓ２の基地局の夫々による第１のデータ及び第２のデータ夫々の送信は、例えばＧＰＳ同期または自動クロック参照（automatic clock reference）などの、当業者にとって既知である任意の方法によって同期化される。第１及び第２の変調方式には、例えば外部符号（例えばリードソロモン）、１つまたは複数の時間／周波数インターリーバー、内部符号（例えば畳み込み型またはターボ符号）またはＬＤＰＣ（低密度パリティ検査）および／またはポイント空間配置（point constellation）（例えば、ＱＰＳＫ（四位相偏移変調）、１６ＱＡＭ（Quadrature Amplitude Modulation）、６４ＱＡＭなど）の発生を可能にするマッパ（データの信号への変換に対して）が含まれる。上で言及された技法との組み合わせにてＯＦＤＭ変調を適用し、複数の基地局による信号の送信により発生するエコーを効果的に処理することが有利である。
【００８４】
一変形例によると、システムの基地局が、ＭＩＭＯ型であり、複数の送信アンテナを有する。ＭＩＭＯ基地局の夫々のアンテナによって送信される信号は、上では第１及び第２の変調方式であり、当業者にとって知られている、ＭＩＭＯ型符号化（例えばＳＴＢＣ（時空間ブロック符号）であって、V.Tarokh、H.Jafarkhani、及びR.A.Calderbankによって書かれ、「IEEE Transactions on Information Theory」第４５巻、１４５６〜１４６７ページ、１９９９年７月にて発表された「Space-Time block codes from orthogonal designs」という文献にて説明されたものの組み込み（例えばAlamouti型の）により）、またはゴールド符号（J.-C.Belfiore、G.Rekaya、E.Viterboによって書かれ、「IEEE Transactions on Information Theory」第５１巻、第４号の１４３２〜１４３６ページ、２００５年４月にて発表された「The Golden Code:A2x2 Full-Rate Space-Time Code with Non-Vanishing Determinants」という文献にて説明されたような）、または空間的な多重化の適用（例えばGerard J Foschiniによって書かれ（１９９６）、ベル研究所の技術雑誌にて１０月の４１〜５９ページにて発表された「Layered Space-Time Architecture for Wireless Communication in a Fading Environment When Using Multi-Element Antennas」というタイトルの文献にて説明された、ＶＢＬＡＳＴ（Vertical Bell laboratories Layered Space Time）により符号化される。
【００８５】
本発明の特定のモードによると、そしてシステム１の基地局の夫々の部分集合に対して、少なくとも１つの第１の基地局が、第１の符号化器を介して符号化されたデータを送信し、そして少なくとも１つの第２の基地局が、第１の符号化器とは異なった第２の符号化器を介して符号化された、第１の基地局によって送信されるデータと同一または同一でないデータを送信する。データは、同期的に且つ同一周波数で送信される。そして同一部分集合の第１及び第２の基地局は、ＭＩＭＯ基地局の夫々第１のアンテナ及び第２のアンテナとして機能する。同一部分集合のそのような２つの基地局は、協調的ＭＩＭＯシステムを形成する。
【００８６】
一変形例によると、物理チャンネルの配分４２及び送信４３のステップは、基地局の移動体端末への割り付けの修正なしで連続して繰り返される。
【００８７】
最終的にステップ４４の間に、基地局の移動体端末への割り付けは、予め定められたパラメーターに従って抑制される。第１の部分集合からの基地局の割り付けの抑制は、第１のパラメーターに従って実行され、そして第２の部分集合の基地局の割り付けの抑制は、第２のパラメーターに従って実行される。
【００８８】
それに従って割り付けの抑制がなされる第１及び第２のパラメーターは、基地局の第１及び第２の部分集合への割り付けがそれに従ってなされる第１及び第２のパラメーターと同一であることが有利である。一変形例によると、それに従って割り付けの抑制がなされる第１及び第２のパラメーターは、基地局の第１及び第２の部分集合への割り付けがそれに従ってなされる第１及び第２のパラメーターとは異なり、上でステップ４１の説明において定義され、且つ詳述されたパラメーターの一覧を具備するパラメーターのグループにすべてが属する。
【００８９】
第１及び第２の割り付け抑制パラメーターは、同一であることが有利である。一変形例によると、第１及び第２のパラメーターは異なっている。
【００９０】
一変形例によると、１つの移動体端末に２つより多い基地局が割り付けられる場合には、その移動体端末によって送信された信号の高い受信レベルを２つの基地局が検出したなら、これらの基地局は他の割り付けられた基地局（またはネットワークサーバー）を対象として情報を送信し、それらに対して（それに個別に）、それら（それ）がその移動体端末への割り付けの抑制を開始し得ることを伝える。この変形例では、基地局の使用を最適化して、そしてその結果システムリソースを最適化する利点を提示する。
【００９１】
移動体端末への基地局の割り付けの抑制は、考慮中の基地局の主導に基づき実行されることが有利である。一変形例によると割り付けの抑制は、図１に示されないネットワークサーバーの主導に基づき実現される。
【００９２】
図５は、本発明の特に有利な非限定的実施形態による、夫々が少なくとも２つの基地局２を具備する２つの基地局部分集合を具備するシステムの中の２つの移動体端末３において実施されるデータ受信のための方法を示す。
【００９３】
初期化ステップ５０の間に、夫々の移動体端末の様々なパラメーターが更新される。特に、送信または受信されるべき信号に対応するパラメーター、及び対応する副搬送波のものが、何れかの方法にて初期化される（例えば、基地局の内の主局として知られる１つによりまたはシステム１について表されていないサーバーにより送信された初期化メッセージの受信に従って、またはオペレーターのコマンドにより）。
【００９４】
基地局の割り付け５１、物理チャンネルの配分５２、及び割り付けの抑制５４のステップは、図４の説明において詳述された、夫々基地局(複数）の割り付け４１、物理チャンネルの配分４２、及び割り付けの抑制４４のステップと同一であり、そしてしたがって、図５の説明において繰り返されることはない。
【００９５】
ステップ５３の間に、第１の移動体端末１００１は、第１の部分集合Ｓ１の夫々の基地局１０１、１０２、及び１０７によって同期的に、同一周波数で、そして同一の第１の変調方式で変調されて送信された第１の特定のデータを受信する。同様の方法にて、第２の移動体端末１００２は、第２の部分集合Ｓ２の夫々の基地局１０６、１０７によって同期的に、同一周波数で、そして同一の第２の変調方式で変調されて送信された第２の特定のデータを受信する。
【００９６】
一変形例によると移動体端末の少なくとも１つはＭＩＭＯ型であり、そして複数の受信アンテナを有する。
【００９７】
当然ながら、本発明は以前に説明された実施形態に限定されるものではない。
【００９８】
本発明は特に、基地局の２つの部分集合を具備するシステムに限定されるものではなく、２つより多い基地局部分集合を具備するシステムにもまた適用する。同様に、部分集合は２つの基地局または２つより多い基地局によって差別なく定義される。本発明はまた、２つの移動体端末を具備するシステムに限定されるものではなく、２つより多い移動体端末を具備するシステムにもまた適用する。同一部分集合の基地局の割り付けは、１つの移動体端末に限定されるものではなく、複数の移動体端末にもまた適用する。
【００９９】
一変形例によると、移動体端末への基地局の割り付けがその移動体端末の主導に基づき実行される。例えば基地局に関する受信機のローカライゼーションなどのパラメーターから、移動体端末はそれまたはその基地局の割り付けを決める。一変形例によると移動体端末は、基地局および／またはネットワークサーバーを対象とする基地局の割り付けを表す情報を送信する。別の変形例によると、基地局及び移動体端末の間のリンクの品質がその移動体端末により決定される。
【０１００】
別の変形例によると、基地局の移動体端末への割り付けの抑制がその移動体端末の主導に基づき実行される。例えば基地局に関する受信機のローカライゼーションなどのパラメーターから、移動体端末はそれまたはその基地局の割り付けの抑制を決める。移動体端末が基地局を対象とする基地局の割り付けの抑制を表す情報を送信することが有利である。
【０１０１】
一変形例によると、基地局の移動体端末への割り付けおよび／または割り付けの抑制が、移動体端末の動きに従って実行される。
【０１０２】
別の変形例によると、基地局が割り付けられた移動体端末を対象として基地局の部分集合によって送信されるデータは基地局の１つの機能であり、そのようにして移動体端末を対象とする、例えば基地局の地理的位置に従う特定のサービスのブロードキャストを可能にする。
【０１０３】
一変形例によると、移動体端末によって送信される信号の受信レベルが十分である限り、１つの基地局のみが１つまたは複数の移動体端末に割り付けられる。受信レベルが減少すると、割り付けられた基地局は、隣接する基地局がまた移動体端末との通信に寄与するように要求する警告を送信する。
【０１０４】
一実施形態によると、仮想セルの拡張の戦略は送信電力並びに／または移動体端末及び基地局の受信の管理と対にされる。例えば、移動体端末がそれに割り付けられる２つの基地局のみと通信しているときには、移動体端末の電力及び基地局の電力は、通信が正しくなされるが、電力は最小であることを可能にするように調整される。一変形例によると、移動体端末が基地局からそれ自体が遠ざかるのに従って、基地局の送信電力が増加する。送信電力が決定された閾値に到達すると、割り付けられた基地局の内の少なくとも１つは、隣接する基地局を対象として、それら後者がその移動体端末を検出するために走査を実行するように、要求を送信する。うまく検出された場合には、移動体端末を検出した基地局の少なくとも１つが、その移動体端末との通信に参加するために移動体端末への割り付けを実行する。一変形例によると、走査の実現に関する要求は、走査されるべき物理チャンネルに関する情報を含む。
【０１０５】
一変形例によると、ネットワークの基地局の少なくとも１つは、ネットワークの他の基地局の周波数とは異なった周波数でデータを送信する。
【０１０６】
別の変形例によると、基地局の少なくとも１つが移動体である。
【図１】
2010157994.tif 000005
【図２】
2010157994.tif 000006
【図３】
2010157994.tif 000007
【図４】
2010157994.tif 000008
【図５】
2010157994.tif 000009
【外国語明細書】
2010157994000001.pdf